(57)【要約】【課題】取り付けが容易な尿パッドの提供。【解決手段】縦長のトップシート１１及びバックシート１２と、トップシートとバックシートとの間に介在する吸収体２１とを含み、トップシート及びバックシートが、吸収体の縦方向両端部２２から吸収体の両外側に延び出す第１延出部２３及び第２延出部２４を有する尿パッド１において、第１延出部と第２延出部とを繋ぐ帯状弾性部材３１を有する尿パッド。【選択図】図１
2015126816.tif 000002
【特許請求の範囲】
【請求項１】
縦長のトップシート及びバックシートと、前記トップシートと前記バックシートとの間に介在する吸収体とを含み、前記トップシート及び前記バックシートが、前記吸収体の縦方向両端部から前記吸収体の両外側に延び出す第１延出部及び第２延出部を有する尿パッドにおいて、
前記第１延出部と前記第２延出部とを繋ぐ帯状弾性部材を有することを特徴とする前記尿パッド。
【請求項２】
前記帯状弾性部材の前記縦方向両末端部がそれぞれ、前記第１延出部に位置する第１接合部と、前記第２延出部に位置する第２接合部とに接合され、前記帯状弾性部材が、前記第１及び第２接合部においてのみ前記尿パッドに接合される、請求項１に記載の尿パッド。
【請求項３】
前記縦方向において、前記帯状弾性部材の非伸長時の長さが前記尿パッドの長さより短い、請求項１又は２に記載の尿パッド。
【請求項４】
前記帯状弾性部材が、非伸縮性の帯状部材と、前記帯状部材に伸長状態で接合された弾性糸とからなる、請求項２又は３に記載の尿パッド。
【請求項５】
前記第１接合部と前記第２接合部との間に位置する前記帯状部材の長さが、前記尿パッドの長さ以下である、請求項４に記載の尿パッド。
【請求項６】
前記縦方向において、前記帯状弾性部材が前記吸収体の長さ以上に伸長可能である、請求項１から５のいずれかに記載の尿パッド。
【請求項７】
前記第１及び第２延出部の剛性の方が、前記尿パッドの前記吸収体が存在する部分の剛性より低い、請求項１から６のいずれかに記載の尿パッド。
【請求項８】
前記第１延出部と前記第２延出部の縦方向の長さの合計が、前記吸収体の縦方向の長さより短い、請求項１から７のいずれかに記載の尿パッド。
【発明の詳細な説明】
【技術分野】
【０００１】
本発明は、尿パッドに関する。
【背景技術】
【０００２】
従来、尿パッドは公知である。例えば、特許文献１には、尿パッドのバックシート側にベルトを通す孔を設け、この孔に通すベルトの両端に、ベルトをおむつの表面材または防漏シート外面に固定するための止着部を備える尿パッドが開示されている。
【先行技術文献】
【特許文献】
【０００３】
【特許文献１】特開２００５−９５５１０号公報
【０００４】
特許文献１によれば、尿パッドに挿通されたベルトの両端にある止着部をおむつの表面材に固定することにより、尿パッドのおむつに対するズレやまくれが発生し難くなる。
【発明の概要】
【発明が解決しようとする課題】
【０００５】
しかし、特許文献１の尿パッドの場合、尿パッドをおむつに装着する際にベルトの一方の端を引っ張ると、他方の端が尿パッドの背面に隠れてしまい、取付に手間取ることがあった。
【０００６】
以上に鑑み、本発明は取り付けが容易な尿パッドを提供することを課題とする。
【課題を解決するための手段】
【０００７】
本発明は、縦長のトップシート及びバックシートと、トップシートとバックシートとの間に介在する吸収体とを含み、トップシート及びバックシートが、吸収体の縦方向両端部から吸収体の両外側に延び出す第１延出部及び第２延出部を有する尿パッドに関する。
【０００８】
本発明の尿パッドは、第１延出部と第２延出部とを繋ぐ帯状弾性部材を有することを特徴とする。
【発明の効果】
【０００９】
本発明によれば、尿パッドの吸収体と、第１延出部と第２延出部との境界が容易に折れ曲がり、このようにして形成される折り曲がり部をおむつカバーなどの開口縁に掛け、さらに第１延出部と第２延出部とを繋ぐ帯状弾性部材をおむつカバーの股下部に掛け回すことにより、容易に取り付けることができる尿パッドが提供される。
【図面の簡単な説明】
【００１０】
図面は、本発明の特定の実施の形態を示し、発明の不可欠な構成ばかりでなく、選択的及び好ましい実施の形態を含む。
【図１】本願の尿パッドの一例の斜視図。
【図２】本願の尿パッドの使用例を表す模式図。
【図３】尿パッドの一部破断展開図。
【図４】尿パッドの変形例を表す模式図。
【発明を実施するための形態】
【００１１】
添付の図面を参照して、この発明に係る尿パッド１の詳細を説明する。下記の実施の形態は、添付の図面に示す尿パッド１に関し、発明の不可欠な構成ばかりではなく、選択的及び好ましい構成を含む。
【００１２】
図１に本実施形態に係る尿パッド１の外観を示し、図２に尿パッド１の使用状態を模式的に示す。尿パッド１は、縦長のトップシート１１とバックシート１２との間に介在する吸収体２１とを含み、トップシート１１とバックシート１２は、吸収体２１の縦方向両端部２２から吸収体２１の両外側に延び出す第１延出部２３及び第２延出部２４を有する。本願の尿パッド１はさらに、第１延出部２３と第２延出部２４とを繋ぐ帯状弾性部材３１を有する。
【００１３】
図２を参照して、尿パッド１を使用するときは、先ずおむつカバー４１の中に吸収体２１を二つ折りにして差し込んだ後、おむつカバー４１の形状に合わせて広げる。次に、吸収体２１と、第１延出部２３及び第２延出部２４との境界に形成される折り曲がり部２５をおむつカバー４１の開口縁４２に掛けて第１及び第２延出部２３，２４をそれぞれ前身頃４３と後身頃４４の外側に位置させ、さらに第１及び第２延出部２３，２４を繋ぐ帯状弾性部材３１をおむつカバー４１の股下部４５に掛け回す。これにより、尿パッド１をおむつカバー４１に容易に取り付けることができる。また、第１延出部２３と第２延出部２４とが帯状弾性部材３１で繋がれていることにより、第１及び第２延出部２３，２４がおむつカバー４１の開口縁４２に対しズレ動くことが抑制される。さらに、尿パッド１を使用した後は、帯状弾性部材３１を引っ張り上げることにより、手を汚すことなく尿パッド１をおむつカバー４１から取り外すことができる。なお、おむつカバー４１は使い捨てのものでもよいし、繰り返し使用可能なものでもよい。
【００１４】
図３は、尿パッド１を平面に展開し、トップシート１１側から見て、一部を破断して示す図である。尿パッド１のトップシート１１には透液性の不織布や開孔プラスチックフィルムを用いることができ、バックシート１２には、通気性を有するとともに不透液性の不織布またはプラスチックフィルムを用いることができる。本願の尿パッド１は、トップシート１１が着用者の肌に向き合うようにして使用する。吸収体２１には、粉砕パルプと高吸水性ポリマーとの混合物をティッシュペーパーで包んで形成された吸収体２１など、公知の尿パッド用の吸収体２１を用いることができる。吸収体２１の形状は図示例の矩形に限定されず、縦方向Ｙ中央部が内側に湾曲した砂時計型など、任意の形状にすることができる。
【００１５】
吸収体２１は、トップシート１１とバックシート１２とにより完全に被覆されるとともに、トップシート１１及びバックシート１２のそれぞれにホットメルト接着剤により接合される。トップシート１１及びバックシート１２は、吸収体２１の縦方向両端部２２から吸収体２１の両外側に延び出す第１延出部２３及び第２延出部２４を有する。第１延出部２３及び第２延出部２４に含まれるトップシート１１とバックシート１２は、ホットメルト接着剤により互いに接合される。トップシート１１とバックシート１２とを接合するときのホットメルト接着剤の単位面積当たりの塗布量は、トップシート１１とバックシート１２との間に吸収体２１を接合するときのホットメルト接着剤の単位面積当たりの塗布量と同じであることが好ましい。縦方向Ｙにおいて、第１延出部２３と第２延出部２４の長さの合計は、吸収体２１の長さよりも短い。第１延出部２３及び第２延出部２４のそれぞれの長さは、好ましくは５〜６０ｍｍ、より好ましくは２０〜４０ｍｍである。第１及び第２延出部２３，２４の縦方向Ｙの長さが５ｍｍより短いと、第１及び第２延出部２３，２４が反り返ってしまい、折り曲がり部２５をおむつカバー４１の開口縁４２に掛けにくくなることがあるので好ましくない。第１及び第２延出部２３，２４の縦方向Ｙの長さが６０ｍｍを超えると、第１及び第２延出部２３，２４の間に延在する帯状弾性部材３１の長さが短くなってしまい、その収縮力を十分発現させられない場合があるので好ましくない。
【００１６】
第１及び第２延出部２３，２４には吸収体２１は含まれておらず、一方、前記のように吸収体２１には粉砕パルプが含まれている。したがって、第１及び第２延出部２３，２４の方が、吸収体２１より変形し易い。すなわち、第１及び第２延出部２３，２４の剛性の方が、尿パッド１の吸収体２１が存在する部分の剛性より低くなる。したがって、尿パッド１を使用するとき、第１及び第２延出部２３，２４を、吸収体２１の縦方向両端部２２と第１及び第２延出部２３，２４との境界に沿って折り曲げて、おむつカバー４１の外側に位置させることができる。第１及び第２延出部２３，２４の剛性と、尿パッド１の吸収体２１が存在する部分の剛性との比較は、次のようにして行うことができる。
まず、第１及び第２延出部２３，２４に接合された帯状弾性部材３１を、鋭利な刃物で切断して取り除く。次に、直線状の縁を有する水平な台の上に尿パッド１を載せ、第１延出部２３と吸収体２１との境界を水平な台の直線状の縁と重なる位置に合せて、第１延出部２３を直線状の縁から台の外に突き出させる。次に、台の縁から突き出させた第１延出部２３の先端までの最大寸法Ｌを定規によりｍｍ単位で測定した後、突き出させた第１延出部２３の幅方向中央部に、質量が１〜２ｇの二つ折りされた金属片を取り付ける。このような金属片として、例えば質量が１〜２ｇの文具クリップ（例えばコクヨ社の幅１５ｍｍのダブルクリップ）、又は二つ折りにしたアルミ箔を用いることができる。第１延出部２３の幅方向中央部に金属片を取り付けると、金属片は水平面に対し下に傾斜した状態になる。この金属片の水平面に対する傾斜状態を写真撮影により記録する。次いで、第１延出部２３を吸収体２１との境界に沿って鋭利な刃物で切断し、第１延出部２３が切り取られた尿パッド１の端部を、水平な台の直線状の縁から寸法Ｌだけ突き出させる。次に、突き出させた尿パッド１の端部の幅方向中央部に前述の金属片を取り付け、金属片の水平面に対する傾斜状態を写真撮影により記録する。記録した金属片の傾斜状態を、第１延出部２３の場合と尿パッド１の端部の場合とで比較し、水平面に対しより大きく傾斜している方を低剛性とする。第２延出部２４と、尿パッド１の吸収体２１が存在する部分についても、同様にして剛性を比較する。
【００１７】
図３に示すように、縦方向Ｙに伸びる吸収体２１の両側縁２６に沿って、一対の立体ギャザー２７をトップシート１１の表面に設けることが好ましい。公知のように、立体ギャザー２７には、立体ギャザー弾性部材２８が縦方向Ｙに伸長された状態で接合されており、尿パッド１の使用時にトップシート１１に対して起立する。立体ギャザー２７は、トップシート１１及びバックシート１２とは別体に設けることができる。また、バックシート１２を吸収体２１の幅方向Ｘ両側に延出させ、さらに立体ギャザー弾性部材２８を延出させたバックシート１２に接合して立体ギャザー２７を形成することもできる。
【００１８】
本実施形態では、帯状弾性部材３１は、尿パッド１の縦方向中心線Ｐに沿って１本配置され、第１及び第２延出部２３，２４のバックシート１２側にホットメルト接着剤（図示せず）により接合される。より詳しくは、帯状弾性部材３１の縦方向両末端部２９がそれぞれ、第１延出部２３に位置する第１接合部３３と、第２延出部２４に位置する第２接合部３４とに接合される。本実施形態では、第１及び第２接合部３３，３４は、第１及び第２延出部２３，２４の幅方向Ｘ中央部で、かつ尿パッド１の縦方向Ｙにおける最外端縁１３のそれぞれに隣接する位置に配置されている。また、帯状弾性部材３１を尿パッド１の第１及び第２接合部３３，３４においてのみ接合することが好ましい。これにより帯状弾性部材３１は吸収体２１から離間可能となり、尿パッド１を使用する際、帯状弾性部材３１をおむつカバー４１の股下部４５の外側に掛け回すことができる。
【００１９】
帯状弾性部材３１は、縦方向Ｙに伸長させた状態で、尿パッド１の第１及び第２延出部２３，２４に接合することが好ましい。また、帯状弾性部材３１を第１及び第２延出部２３，２４に接合するために伸長させる前の長さが、尿パッド１の長さより短いことが好ましい。別言すれば、縦方向Ｙにおいて帯状弾性部材３１の非伸長時の長さが尿パッド１の長さより短いことが好ましく、帯状弾性部材３１の非伸長時の長さが吸収体２１の長さより短いことがより好ましい。また縦方向Ｙにおいて、帯状弾性部材３１の非伸長時の長さを、吸収体２１の長さから第１及び第２延出部２３，２４の長さを引いた長さより短くすることもできる。このようにすれば、尿パッド１を使用する際、吸収体２１を着用者の股間部に向けて押し上げる方向に帯状弾性部材３１の収縮力を作用させることができる（図２参照）。これにより、吸収体２１を身体側に持ち上げるため吸収体２１が体からずれにくい。
【００２０】
帯状弾性部材３１には、例えば帯状のゴム紐、糸状のゴムを編みこんだ帯状の平ゴム、帯状の弾性不織布等を用いることができる。帯状弾性部材３１は、吸収体２１の長さ以上に伸長可能な伸長倍率にして、尿パッド１に接合することが好ましい。例えば、切断時の伸びが６００％の帯状のゴム紐を、伸長倍率３倍で尿パッド１に接合することができる。これにより、帯状弾性部材３１をおむつカバー４１の股下部４５に掛け回す際、帯状弾性部材３１を吸収体２１の長さ以上に引き伸ばすことが可能になり、尿パッド１の取り付けが更に容易になる。
【００２１】
また、帯状弾性部材３１として、非伸縮性の帯状部材３５と、この帯状部材３５に伸長状態で接合された弾性糸３６とからなる複合弾性部材を用いることができる。非伸縮性の帯状部材３５としてはポリエチレン、ポリプロピレン、ポリエステル、ポリアミド等の熱可塑性樹脂から製造される不織布及びプラスチックフィルムが例示される。また、弾性糸３６としては、天然ゴムやポリウレタン系エラストマーから製造される弾性糸３６が例示される。本実施形態では、帯状部材３５としてポリプロピレンの繊維から成る非伸縮性の不織布を用い、この不織布を２つに折り畳んだ間に、ポリウレタン系エラストマーから成る弾性糸３６を伸長状態で接合した複合弾性部材を用いている。本願で用いられる弾性糸３６は特に限定されないが、例えば太さが３１０〜１２４０ｄｔｅｘの糸状のゴム紐を、伸長倍率１．５〜３．０倍にして用いることができる。この帯状部材３５を含む複合弾性部材は、ホットメルト接着剤または熱溶着によりトップシート１１又はバックシート１２に容易に接合することができる。
【００２２】
本願の１つの実施態様では、複合弾性部材からなる帯状弾性部材３１を、非伸縮性の帯状部材３５に弾性糸３６の収縮に起因する皺が生じていない状態で、尿パッド１に接合することができる。この実施態様では、帯状部材３５に皺が生じていないので、尿パッド１を製造するとき、帯状弾性部材３１を第１及び第２接合部３３，３４に容易に接合することができる。この場合、縦方向Ｙにおいて、第１接合部３３と第２接合部３４との間に位置する帯状部材３５の長さは、尿パッド１の長さ、すなわち尿パッド１の一対の最外端縁１３の間の長さと同じであるか、又は短いことが好ましい。また別の実施態様では、非伸縮性の帯状部材３５に弾性糸３６を伸長倍率２．０〜４．０倍で接合して帯状弾性部材３１を製造した後、一旦帯状弾性部材３１を収縮（例えば１０〜２０％収縮）させてから、第１及び第２接合部３３，３４に接合することができる。これにより、帯状弾性部材３１を吸収体２１の長さ以上、好ましくは尿パッド１の長さ以上に引き伸ばすことが可能になり、尿パッド１の取り付けが更に容易になる。
【００２３】
上記では、尿パッド１のバックシート１２側から見て、帯状弾性部材３１を尿パッド１の縦方向中心線Ｐに沿って１本取り付ける場合（図４（ａ）参照）を例に説明した。しかし、図４（ｂ）に示すように、バックシート１２側から見て、帯状弾性部材３１を尿パッド１の両側縁部１４のそれぞれに沿って設けることもできる。この場合、縦方向Ｙに延びる尿パッド１の両側縁部１４を着用者の脚にフィットさせて尿の漏出を抑制することができる。また、図４（ｃ）に示すように、帯状弾性部材３１の幅を尿パッド１の幅の半分以上にして、尿パッド１全体を着用者の股間部に向けて押し上げ得るようにすることもできる。
【００２４】
本発明は上記の実施形態に限定されず、種々変更して実施することができる。例えば、帯状弾性部材３１を第１及び第２延出部２３，２４に接合する際、第１及び第２接合部３３，３４をトップシート１１側に配置することもできる。また、尿パッド１のバックシート１２のおむつカバー４１に対向する面に、粘着剤を塗布し、さらに粘着剤に剥離フィルムを重ね合わせて形成される止着部を配置することもできる。これにより、尿パッド１を使用するとき、止着部の剥離フィルムを剥がして、バックシート１２をおむつカバー４１の内面に粘着剤により止着することができる。さらに、おむつカバー４１に代えて、着用者の胴回りに装着されるベルト状の部材のウエスト開口縁４２に本願の尿パッド１を取り付けて使用することもできるし、使い捨ておむつに本願の尿パッド１を取り付けて使用することもできる。
【００２５】
上記の各実施形態では、特に断りの無い限り接合はホットメルト接着剤により行っているが、熱溶着、超音波溶着により接合することもできる。尿パッド１を構成する各構成部材には、本願の明細書に開示されている材料のほかに、本発明の属する技術分野において通常用いられている各種の公知の材料を制限なく用いることができる。本願の明細書及び特許請求の範囲において、用語「第１」及び「第２」は、同様の要素、位置等を単に区別するために用いられている。
【００２６】
以上に記載した本発明の尿パッドに関する開示は、少なくとも下記の事項に整理することができる。
縦長のトップシート１１及びバックシート１２と、トップシート１１とバックシート１２との間に介在する吸収体２１とを含み、トップシート１１及びバックシート１２が、吸収体２１の縦方向両端部から吸収体２１の両外側に延び出す第１延出部２３及び第２延出部２４を有する尿パッド１において、第１延出部２３と第２延出部２４とを繋ぐ帯状弾性部材３１を有することを特徴とする尿パッド１。
【００２７】
上記段落００２６に開示した尿パッドに関する本発明は、少なくとも下記の実施の形態を含むことができる。該実施の形態は、分離して又は互いに組み合わせて採択することができる。
（１）帯状弾性部材３１の縦方向両末端部２９がそれぞれ、第１延出部２３に位置する第１接合部３３と、第２延出部２４に位置する第２接合部３４とに接合され、帯状弾性部材３１が、第１及び第２接合部３３，３４においてのみ尿パッド１に接合される。
（２）縦方向において、帯状弾性部材３１の非伸長時の長さが尿パッド１の長さより短い。
（３）帯状弾性部材３１が、非伸縮性の帯状部材３５と、帯状部材３５に伸長状態で接合された弾性糸３６とからなる。
（４）第１接合部３３と第２接合部３４との間に位置する帯状部材３５の長さが、尿パッド１の長さ以下である。
（５）縦方向において、帯状弾性部材３１が吸収体２１の長さ以上に伸長可能である。
（６）第１及び第２延出部２３，２４の剛性の方が、尿パッド１の吸収体２１が存在する部分の剛性より低い。
（７）第１延出部２３と第２延出部２４の縦方向の長さの合計が、吸収体２１の長さより短い。
【符号の説明】
【００２８】
１     尿パッド
１１  トップシート
１２  バックシート
２１  吸収体
２２  縦方向両端部
２３  第１延出部
２４  第２延出部
２９  両末端部
３１  帯状弾性部材
３３  第１接合部
３４  第２接合部
３５  非伸縮性の帯状部材
３６  弾性糸
Ｐ  縦方向中心線
Ｘ    幅方向
Ｙ    縦方向
【図１】
2015126816.tif 000003
【図２】
2015126816.tif 000004
【図３】
2015126816.tif 000005
【図４】
2015126816.tif 000006